(57)【特許請求の範囲】
【請求項１】
温水生成源で生成された湯を温水利用先へ導く出湯管路と、出湯管路内の水温を検知する二つの出湯温センサと、温水利用先への出湯温を調整する温調部と、前記二つの出湯温センサのうちから選択した温調用の出湯温センサの検知温度が設定温度になるように温調部を制御する出湯温制御手段と、前記二つの出湯温センサ相互の検知温度差が所定の許容誤差より大きい場合をセンサ異常と判定するセンサ異常判定手段とを備えた給湯装置において、
前記センサ異常判定手段によってセンサ異常と判定された場合は、検知温度の高い側の出湯温センサを温調用の出湯温センサに設定するセンサ選択手段を備えた、給湯装置。
【請求項２】
請求項１に記載の給湯装置において、
先端部が前記出湯管路の管体中心に向かって挿設される筒状のセンサケースを備え、
前記二つの出湯温センサは、前記センサケースの先端部内に並設された、給湯装置。
【請求項３】
請求項１または２に記載の給湯装置において、
水源から供給される水を温水生成源へ導く冷水管路と、
前記冷水管路内の水温を検知する入水温センサと、
温調用の出湯温センサの検知温度が前記入水温センサの検知温度より低い場合に、出湯管路からの出湯を禁止させる出湯禁止手段とを備えた、給湯装置。
【請求項４】
請求項１から３のいずれかに記載の給湯装置において、
前記センサ異常判定手段によってセンサ異常と判定された場合に、出湯温センサが異常状態であることを情報出力部から表示や音声によって報知させる報知指示手段を備えた、給湯装置。
【発明の詳細な説明】
【技術分野】
【０００１】
本発明は、温調用の出湯温センサの異常を検知するための比較用の出湯温センサを備えた給湯装置に関するものである。
【背景技術】
【０００２】
温水利用先への出湯温度を出湯温センサの検知温度に基づいて調整する給湯装置では、出湯温センサの異常により温度検知精度が低下すれば、その出湯温センサの検知温度と設定温度とのずれが生じ、設定温度より高温の温水が温水利用先へ供給される恐れがある。そこで、上記出湯温センサが異常であるか否かを比較するための出湯温センサをさらに一つ設け、その比較用の出湯温センサの検知温度に対して温調用の出湯温センサの検知温度が所定値以上の差を生じている場合には、温調用の出湯温センサの異常と判定して出湯を停止させるものがある。
【０００３】
図５は、上記比較用の出湯温センサを備えた従来の給湯装置９であり、給水配管から供給された冷水を後述する混合水管路Ｌ５へ導く冷水管路Ｌ１と、熱交換器等の温水生成源から供給された温水を後述する混合水管路Ｌ５へ導く温水管路Ｌ２と、上記冷水および温水をシャワーや蛇口等の温水利用先Ｐへ導く混合水管路Ｌ５とを備えている。
【０００４】
また、冷水管路Ｌ１と温水管路Ｌ２との合流部には、混合水管路Ｌ５への冷水と温水の供給割合を調整可能な温調部としての混合弁９５が接続されており、この混合弁９５による上記供給割合の調整を後述する温調用の出湯温センサ９８ａの検知温度に基づいて制御することで、温水利用先Ｐへの出湯温が調整される。
【０００５】
混合水管路Ｌ５には、その管路内の水温を検知する温調用の出湯温センサ９８ａと、比較用の出湯温センサ９８ｂと、温水利用先Ｐへの出湯を遮断可能な温水遮断弁９９とが設けられている。
【０００６】
さらに、上記給湯装置９には、温水利用先Ｐへの出湯動作を実行する制御回路Ｃ９が組み込まれており、上記混合弁９５、温調用の出湯温センサ９８ａ、比較用の出湯温センサ９８ｂおよび温水遮断弁９９は、この制御回路Ｃ９へ電気的に接続されている。
【０００７】
また、制御回路Ｃ９には、図示しないが、温調用の出湯温センサ９８ａの検知温度に基づいて混合弁９５の動作を制御する出湯温制御回路と、温調用の出湯温センサ９８ａと比較用の出湯温センサ９８ｂとの検知温度差が所定値を超えた状態をセンサ異常と判定するセンサ異常判定回路と、上記センサ異常と判定された場合は温水遮断弁９９を強制的に遮断させる出湯停止回路とが組み込まれている。
【０００８】
このものでは、制御回路Ｃ９へ通信ケーブルを介して接続されているリモコンＲの出湯開始キーが押されると、まず、温調用の出湯温センサ９８ａと比較用の出湯温センサ９８ｂとの検知温度差が所定値（例えば、１Ｋ）以下であるか否かがセンサ異常判定回路によって判定される。
【０００９】
そして、上記検知温度差が所定値以下であれば、出湯温制御回路によって混合弁９５を制御し、温調用の出湯温センサ９８ａの検知温度がリモコンＲの設定温度になるように、上記合流部への冷水と温水の供給割合を調整する。
【００１０】
一方、温調用の出湯温センサ９８ａの温度検知精度が低下し、上記検知温度差が所定値を超えた場合は、温調用の出湯温センサ９８ａの検知温度に基づいて上記合流部への冷水の供給割合を減少させる調整が行われた際に、設定温度より高温の温水が温水利用先Ｐから出湯される恐れがあるから、この場合は、出湯温センサの異常と判定し、出湯停止回路によって温水遮断弁９９を閉じる。
これにより、温水利用先Ｐへの高温出湯が停止されるから、使用者に対して高温出湯による不快感を与えない。
【特許文献１】特開２００４−２０２１２２号公報
【発明の開示】
【発明が解決しようとする課題】
【００１１】
しかしながら、上記従来のものでは、温調用の出湯温センサが異常であると判定された際には、強制的に出湯が停止されるから、その温調用の出湯温センサの交換を行うまでの間は給湯装置の使用ができず、利便性が悪かった。
【００１２】
本発明は係る点に鑑みてなされたもので、
『温水生成源で生成された湯を温水利用先へ導く出湯管路と、出湯管路内の水温を検知する二つの出湯温センサと、温水利用先への出湯温を調整する温調部と、前記二つの出湯温センサのうちから選択した温調用の出湯温センサの検知温度が設定温度になるように温調部を制御する出湯温制御手段と、前記二つの出湯温センサ相互の検知温度差が所定の許容誤差より大きい場合をセンサ異常と判定するセンサ異常判定手段とを備えた給湯装置』において、利便性の高い給湯装置を提供することを課題とする。
【課題を解決するための手段】
【００１３】
上記課題を解決するための請求項１に係る発明の技術的手段は、
『前記センサ異常判定手段によってセンサ異常と判定された場合は、検知温度の高い側の出湯温センサを温調用の出湯温センサに設定するセンサ選択手段を備えた』ことである。
【００１４】
このものでは、二つの出湯温センサのうち、一方の出湯温センサの断線や経年劣化等の不調により温度検知精度が低下し、他方の出湯温センサとの検知温度に所定以上の差が生じた場合には、検知温度の高い側、即ち、温水利用先への出湯温が低くなる側の出湯温センサを選択して温調用の出湯温センサに設定する。そして、この温調用の出湯温センサの検知温度に基づいて、温調部による出湯温の調整動作が行われる。これにより、不調の出湯温センサを交換するまでの間も、高温出湯を防止しつつ、暫定的に給湯利用することが可能である。
【００１５】
請求項２に係る発明の技術的手段は、
前記請求項１において、
『先端部が前記出湯管路の管体中心に向かって挿設される筒状のセンサケースを備え、
前記二つの出湯温センサは、前記センサケースの先端部内に並設された』ことである。
【００１６】
このものでは、二つの出湯温センサを、出湯管路の管体中心に向かって挿設されたセンサケースの先端部内に並設させたことにより、出湯管路内の水温がそれら二つの出湯温センサへセンサケースを介して均等に伝達されるから、温度検知のばらつきが生じ難い。
【００１７】
請求項３に係る発明の技術的手段は、
前記請求項１または２において、
『水源から供給される水を温水生成源へ導く冷水管路と、
前記冷水管路内の水温を検知する入水温センサと、
温調用の出湯温センサの検知温度が前記入水温センサの検知温度より低い場合に、出湯管路からの出湯を禁止させる出湯禁止手段とを備えた』ことである。
【００１８】
このものでは、温調用として設定された出湯温センサの検知温度が、冷水管路内の水温を検知する入水温センサの検知温度に比べて低い場合は、その温調用の出湯温センサの検知温度が実際の水温より低い値を示す出湯温検知異常である可能性があるから、出湯管路からの出湯を禁止する。
【００１９】
即ち、例えば、二つの出湯温センサ共に不調が生じ、それら両方の出湯温センサの検知温度が出湯管路内の実際の水温より低い値を示す場合は、出湯温の調整動作を実行した際に設定温度よりも高い温度に調整されて、温水利用先へ高温出湯される可能性があるから、この場合は、出湯管路からの出湯を禁止する。これにより、温水利用先への高温出湯を未然に回避できる。
【００２０】
請求項４に係る発明の技術的手段は、
前記請求項１から３のいずれかにおいて、
『前記センサ異常判定手段によってセンサ異常と判定された場合に、出湯温センサが異常状態であることを情報出力部から表示や音声によって報知させる報知指示手段を備えた』ことである。
【００２１】
このものでは、二つの出湯温センサのうち、一方の出湯温センサの温度検知精度が低下し、それら出湯温センサ相互の検知温度に所定の誤差を生じた場合には、出湯温センサが異常状態であることを情報出力部から表示や音声によって報知させるから、暫定的に給湯利用している間も、センサの異常を使用者に対して速やかに認識させ、修理や交換を促すことが可能である。
【発明の効果】
【００２２】
本発明は、上記構成であるから次の特有の効果を有する。
請求項１に係る発明では、一方の出湯温センサに不調が生じた場合であっても、温水利用先への出湯温が低くなる側の出湯温センサを選択し、その検知温度に基づいて出湯温の調整動作を行うことによって、不調の出湯温センサを交換するまでの間も、温水利用先へ暫定的に給湯することが可能であるから、利便性が向上する。
【００２３】
また、温水利用先への出湯温が低くなる側の出湯温センサの検知温度に基づいて出湯温の調整動作を行うことで、暫定的に給湯利用する際の高温出湯も防止されるから、使用者に対してその高温出湯による不快感を与える不都合もない。
【００２４】
請求項２に係る発明では、二つの出湯温センサを一つのセンサケース内に配設させたことによって、設置環境の違いによる検知温度のばらつきが生じ難いから、センサ異常の判定精度が向上する。
【００２５】
請求項３に係る発明では、二つの出湯温センサ共に不調が生じた場合には、出湯管路からの出湯を禁止することで、温水利用先への高温出湯を未然に回避できるから、安全性が向上する。
【００２６】
請求項４に係る発明では、暫定的に給湯利用している間も、センサ異常が生じていることを使用者に対して速やかに認識させ、修理や交換を促すことが可能であるから、使用者が給湯装置の異常を知らずに使用し続けるといった不都合がない。
【発明を実施するための最良の形態】
【００２７】
次に、上記した本発明を実施するための最良の形態について、添付図面を参照しながら詳述する。
図１は、本発明の実施の形態に係る給湯装置の概略構成図である。以下、各部の詳細を説明する。
【００２８】
図１に示す給湯装置は、給水配管Ｗ１から供給される冷水をガスの燃焼熱によって加熱して出湯配管Ｗ２へ送り出し、これにより浴槽Ｐ１や蛇口Ｐ２等の温水利用先Ｐへ温水を供給するガス給湯器１であり、ガス配管Ｇから送り込まれたガスを燃焼させるガスバーナ１１と、上記ガスの燃焼熱を回収して温水を生成する熱交換器１２とを備えている。そして、この熱交換器１２の入口側は、冷水管路Ｌ１を介して上記給水配管Ｗ１へ繋がっており、熱交換器１２の出口側は、温水管路Ｌ２を介して上記出湯配管Ｗ２へ繋がっている。
【００２９】
尚、上記「熱交換器１２」が、既述請求項１の発明特定事項としての「温水生成源」に対応する。
【００３０】
上記ガスバーナ１１は、ガス供給管路Ｌ３を介してガス配管Ｇへ繋がっており、このガス供給管路Ｌ３には、ガスバーナ１１へのガスの供給を遮断可能なガス遮断弁１３と、ガスバーナ１１へのガスの供給量を調整可能なガス量調整弁１４とが配設されており、このガス量調整弁１４の開度を後述する温調用サーミスタの検知温度に基づいて制御することで、出湯配管Ｗへの出湯温が調整される。
【００３１】
尚、上記「ガス量調整弁１４」が、既述請求項１の発明特定事項としての「温調部」に対応する。
【００３２】
一方、冷水管路Ｌ１には、給水配管Ｗから送り込まれる冷水の流量を検知する流量センサ１６、上記冷水の温度を検知するサーミスタ（以下、「入口側サーミスタ」という）１７ａを有する水温センサ１７、上記冷水を温水管路Ｌ２側へ分流可能な分流弁１５がこの順序で上流側より配設されている。
【００３３】
尚、上記「入口側サーミスタ１７ａ」が、既述請求項３の発明特定事項としての「入水温センサ」に対応する。
【００３４】
温水管路Ｌ２には、熱交換器１２の出口側から送り出される温水の温度を検知するサーミスタ（以下、「出口側サーミスタ」という）１９ａを有する水温センサ１９が設けられている。
【００３５】
また、分流弁１５には、温水管路Ｌ２へ繋がるバイパス管路Ｌ４が接続されており、この分流弁１５の熱交換器１２側の出水口（以下、「熱源側出水口」という）１５ａとバイパス管路Ｌ４側の出水口（以下、「バイパス側出水口」という）１５ｂとの開度比率を上記出口側サーミスタ１９ａの検知温度に基づいて制御することで、温水管路Ｌ２とバイパス管路Ｌ４との合流部へ送り込む温水の温度が調整される。
【００３６】
さらに、温水管路Ｌ２における上記合流部より下流側の管路（以下、「混合水管路」という）Ｌ５には、上記合流部へ供給された冷水と温水を均一に混合させる略Ｓ字状の屈曲部Ｌｍが形成されており、さらにその屈曲部Ｌｍの下流側には、二つのサーミスタ１８ａ，１８ｂによって上記冷水と温水との混合水の温度を検知する水温センサ（以下、「混合水温センサ」という）１８が配設されている。
【００３７】
混合水温センサ１８は、図２に示すように、熱伝導性の高い金属材料（例えば、ステンレス鋼）で形成された筒状のセンサケース１８０の先端部１８１内に、そのセンサケース１８０からの伝導熱に応じて電気抵抗を変化させる第１サーミスタ１８ａおよび第２サーミスタ１８ｂを収容したものであり、混合水管路Ｌ５に対してその管体中心へ向かって略水平に挿設されている。
【００３８】
また、センサケース１８０内には、熱伝導性の高い充填材（例えば、エポキシ樹脂）Ｆが充填されており、第１サーミスタ１８ａおよび第２サーミスタ１８ｂを上記先端部１８１の中心線ＣＬ上にその内周面１８２と非接触状態で固定している。従って、第１サーミスタ１８ａおよび第２サーミスタ１８ｂと上記先端部１８１の内周面１８２との間隙は、それら第１サーミスタ１８ａおよび第２サーミスタ１８ｂ相互において略同一の距離で保持されている。これにより、第１サーミスタ１８ａおよび第２サーミスタ１８ｂには、混合水管路Ｌ５内の水温がセンサケース１８０の表面から上記充填材Ｆを介してそれぞれ均等に伝達される。
【００３９】
即ち、第１サーミスタ１８ａおよび第２サーミスタ１８ｂをほぼ同じ設置環境下に配設したことによって、それらサーミスタの設置環境の違いによる検知温度のばらつきが生じ難い。従って、後述するセンサ異常の判定精度が向上する。
【００４０】
また、上記第１サーミスタ１８ａおよび第２サーミスタ１８ｂを一つのセンサケース１８０内に組み込んだ構成を採用したことによって、それら両サーミスタ１８ａ，１８ｂをガス給湯器１から同時に着脱することが可能であるから、ガス給湯器１の組立作業性が向上するし、第１サーミスタ１８ａおよび第２サーミスタ１８ｂの組み付け不良のリスクも低減する。
【００４１】
尚、上記第１サーミスタ１８ａおよび第２サーミスタ１８ｂには、その内部の抵抗体の電気抵抗値が検知温度に対して指数関数的に変化する特性のサーミスタ、所謂、負特性のサーミスタが採用されており、例えば、上記抵抗体が断線した場合には、電気抵抗値が無限大となって、極めて低い温度を検知している状態と同様の検知温度を示す。そして、上記「第１サーミスタ１８ａおよび第２サーミスタ１８ｂ」が、既述請求項１の発明特定事項としての「二つの出湯温センサ」に対応し、上記混合水管路Ｌ５が、既述請求項１の発明特定事項としての「出湯管路」に対応する。
【００４２】
給湯器本体１０内には、図１に示すように、ガス給湯器１の出湯動作を制御する制御回路Ｃ１が組み込まれている。
上記制御回路Ｃ１には、上記ガス遮断弁１３、ガス量調整弁１４、分流弁１５、流量センサ１６、入口側サーミスタ１７ａ、第１サーミスタ１８ａ、第２サーミスタ１８ｂおよび出口側サーミスタ１９ａが電気的に接続されているとともに、外部のリモコンＲが通信ケーブルを介して接続されている。
【００４３】
また、制御回路Ｃ１には、図示しないが、流量センサ１６の検知流量に応じてガスバーナ１１の点消火動作を制御する点消火回路、後述する温調用サーミスタの検知温度Ｔ２がリモコンＲで設定された出湯温度（以下、「設定温度」という）Ｔｓと一致するようにガス量調整弁１４および分流弁１５の動作を制御する出湯温制御回路、第１サーミスタ１８ａの検知温度Ｔａと第２サーミスタ１８ｂの検知温度Ｔｂとの差が所定の許容誤差Ｓ１より大きい場合をセンサ異常と判定するセンサ異常判定回路、上記センサ異常と判定された際に第１サーミスタ１８ａおよび第２サーミスタ１８ｂのうちの検知温度の高い側のサーミスタを温調用サーミスタに設定するセンサ選択回路、上記温調用サーミスタの検知温度Ｔ２が入口側サーミスタ１７ａの検知温度Ｔ１より所定の基準温度差Ｓ２以上低い場合に出湯温異常と判定する高温判定回路、高温出湯判定回路で出湯温異常と判定された際に出湯配管Ｗ２への出湯を禁止する出湯禁止回路、センサ異常判定回路でセンサ異常と判定された際に混合水温センサ１８が異常状態であることをリモコンＲの表示部Ｒ１および音声出力部Ｒ２から報知させる報知回路、および、これら各回路を連動させるプログラムを格納したマイクロコンピュータが組み込まれている。
【００４４】
尚、上記「出湯温制御回路」が、既述請求項１の発明特定事項としての「出湯温制御手段」に対応し、上記「センサ異常判定回路」が、既述請求項１の発明特定事項としての「センサ異常判定手段」に対応する。また、上記「センサ選択回路」が、既述請求項１の発明特定事項としての「センサ選択手段」に対応し、そのセンサ選択回路によって設定される「温調用サーミスタ」が、既述請求項１の発明特定事項としての「温調用の出湯温センサ」に対応する。
【００４５】
また、上記「高温判定回路」が、既述請求項３の発明特定事項としての「高温出湯判定手段」に対応し、上記「出湯禁止回路」が、既述請求項３の発明特定事項としての「出湯禁止手段」に対応し、上記「報知回路」が、既述請求項４の発明特定事項としての「報知指示手段」に対応する。
【００４６】
［センサ異常判定動作の実際］
次に、上記制御回路Ｃ１によるセンサ異常判定動作を図３の作動フローチャートに従って説明する。
【００４７】
まず、リモコンＲの運転ボタンＲ３が押されると、熱源側出水口１５ａとバイパス側出水口１５ｂとの開度比率が所定の割合（例えば、熱源側出水口１５ａが８０％、バイパス側出水口１５ｂが２０％）になるよう、出湯温制御回路によって分流弁１５の開度を調整するとともに、流量センサ１６の検知流量が所定値以上であるか否かを点消火回路によって監視する（ＳＴ１〜２）。
【００４８】
そして、リモコンＲの湯はりボタンＲ４が押されて浴槽Ｐ１の開閉バルブＰ１０が開かれるか、もしくは、蛇口Ｐ２が開かれ、給水配管Ｗ１から冷水管路Ｌ１を通って熱交換器１２へ所定量以上の冷水の供給が開始される（流量センサ１６の検知流量が所定値に到達する）と、第１サーミスタ１８ａの電気抵抗値から算出される検知温度Ｔａと第２サーミスタ１８ｂの電気抵抗値から算出される検知温度Ｔｂとの差（以下、「出湯温の検知温度差」という）が所定の許容誤差Ｓ１（例えば、２℃）より大きいか否かをセンサ異常判定回路によって判定する（ＳＴ３）。
【００４９】
その結果、出湯温の検知温度差（｜Ｔａ−Ｔｂ｜）が上記許容誤差Ｓ１以下であれば、第１サーミスタ１８ａおよび第２サーミスタ１８ｂは正常であるとみなし、予め選択された第１サーミスタ１８ａの検知温度Ｔａを温調用サーミスタの検知温度Ｔ２として設定する（ＳＴ４）。
【００５０】
一方、上記ステップＳＴ３にて、出湯温の検知温度差（｜Ｔａ−Ｔｂ｜）が許容誤差Ｓ１より大きければ、例えば第１サーミスタ１８ａ内部の抵抗体が断線して異常に低い検知温度を示している場合のように、いずれか一方のサーミスタの温度検知精度が低下している可能性があるから、リモコンＲの表示部Ｒ１および音声出力部Ｒ２から音声や表示によって混合水温センサ１８が異常状態であることを報知させた上で、温調用サーミスタの選択動作をセンサ選択回路によって実行する。
【００５１】
具体的には、第１サーミスタ１８ａの検知温度Ｔａと第２サーミスタ１８ｂの検知温度Ｔｂとを比較し、第１サーミスタ１８ａの検知温度Ｔａが第２サーミスタ１８ｂの検知温度Ｔｂ以上である場合には、第１サーミスタ１８ａの検知温度Ｔａを温調用サーミスタの検知温度Ｔ２として設定し、第１サーミスタ１８ａの検知温度Ｔａが第２サーミスタ１８ｂの検知温度Ｔｂより低い場合は、第２サーミスタ１８ｂの検知温度Ｔｂを温調用サーミスタの検知温度Ｔ２として設定する（ＳＴ５〜７）。
これにより、後述するステップＳＴ９以降の出湯動作にて、出湯配管Ｗ２への出湯温が低くなる側のサーミスタが温調用サーミスタとして設定される。
【００５２】
また、上記ステップＳＴ３からＳＴ７の動作によって温調用サーミスタを設定した後、入口側サーミスタ１７ａの検知温度Ｔ１からその温調用サーミスタの検知温度Ｔ２を差し引いた値（以下、「出水側と入水側との検知温度差」という）が所定の基準温度差Ｓ２（例えば、３℃）以上であるか否かを高温判定回路によって判定する（ＳＴ８）。
その結果、上記出水側と入水側との検知温度差（Ｔ１−Ｔ２）が基準温度差Ｓ２より小さければ、出湯配管Ｗ２への出湯動作を実行する。
【００５３】
具体的には、まず、点消火回路によってガス遮断弁１３およびガス量調整弁１４を開き、ガス配管Ｇからガス供給管路Ｌ３を介してガスバーナ１１へガスの供給を開始するとともに、燃焼ファンを回転させる。そして、図示しない点火電極から火花放電させてガスバーナ１１を点火し、燃焼させる（ＳＴ９）。
これにより、給水配管Ｗ１から冷水管路Ｌ１へ供給された冷水は、熱交換器１２を通過する際にガスバーナ１１の燃焼熱を吸収し、温水管路Ｌ２を通じて混合水管路Ｌ５へ温水として送り込まれる。また、冷水管路Ｌ１へ供給された冷水の一部は、分流弁１５のバイパス側出水口１５ｂからバイパス管路Ｌ４を通じて混合水管路Ｌ５へ送り込まれる。
【００５４】
そして、上記温調用サーミスタの検知温度Ｔ２（例えば、第１サーミスタ１８ａの検知温度Ｔａ）が設定温度Ｔｓより低ければ、ガスバーナ１１へのガスの供給量を増加させるようにガス量調整弁１４の開度を調整し、温調用サーミスタの検知温度Ｔ２が上記設定温度Ｔｓより高ければ、ガスバーナ１１へのガスの供給量を減少させるようにガス量調整弁１４の開度を調整する。その結果、混合水管路Ｌ５から出湯配管Ｗ２へ設定温度Ｔｓの温水が供給される（ＳＴ１０〜１３）。
【００５５】
その後、リモコンＲの湯はりボタンＲ４が再度押されて浴槽Ｐ１の開閉バルブＰ１０が閉じられるか、もしくは、蛇口Ｐ２が閉じられ、給水配管Ｗ１から冷水管路Ｌ１を通って熱交換器１２へ所定量以上の冷水が供給されなくなる（流量センサ１６の検知流量が所定値未満になる）と、点消火回路によってガス量調整弁１４およびガス遮断弁１３を閉じてガスバーナ１１を消火する（ＳＴ１４〜１５）。
【００５６】
一方、上記ステップＳＴ８にて、出水側と入水側との検知温度差（Ｔ１−Ｔ２）が基準温度差Ｓ２以上である場合は、上記ステップＳＴ３からＳＴ７の動作によって設定した温調用サーミスタの検知温度Ｔ２が、実際の混合水管路Ｌ５内の水温より低い値を示す出湯温検知異常である可能性があるから、リモコンＲの表示部Ｒ１および音声出力部Ｒ２から音声や表示によって混合水温センサ１８が異常状態であることを報知するとともに、ガス量調整弁１４を強制的に閉じてガスバーナ１１の燃焼動作を禁止し、これにより出湯配管Ｗ２への出湯を禁止する（ＳＴ１６〜１７）。
【００５７】
このものでは、例えば第１サーミスタ１８ａ内部の抵抗体の断線や経年変化に伴う不調により、その検知温度が異常に低い値を示している場合であっても、出湯動作を実行した際に出湯配管Ｗ２への出湯温が低くなる側の第２サーミスタ１８ｂの検知温度に基づいて温調動作を行うから、その不調の第１サーミスタ１８ａを交換するまでの間も暫定的に温水利用先Ｐへ給湯することが可能である。従って、利便性が良い。
【００５８】
また、出湯温が低くなる側の第２サーミスタ１８ｂの検知温度に基づいて出湯動作を行うことで、暫定的に給湯利用する際の高温出湯も防止されるから、使用者に対して高温出湯による不快感を与える不都合もない。
【００５９】
さらに、例えば第１サーミスタ１８ａおよび第２サーミスタ１８ｂが共に不調になったことで、それら両サーミスタの検知温度が混合水管路Ｌ５内の実際の水温より低い値を示している場合には、分流弁１５の熱源側出水口１５ａを閉じて出湯配管Ｗ２への出湯を禁止するから、温水利用先Ｐへの高温出湯を未然に回避できる。従って、安全性が高い。
【００６０】
また、第１サーミスタ１８ａおよび第２サーミスタ１８ｂのいずれか一方もしくは両方が異常状態である場合は、混合水温センサ１８が異常状態であることを使用者に対して音声や表示によって速やかに認識させることが可能であるから、使用者がガス給湯器１の異常を知らずに使用し続けるといった不都合もない。
【００６１】
［その他］
尚、上記実施の形態では、ステップＳＴ３のセンサ異常判定動作は、流量センサ１６の検知流量が所定値に到達した時点で実行されるが、リモコンＲの運転ボタンＲ３が押された時点で実行しても良いし、ガスバーナ１１を点火した後で実行しても良い。
【００６２】
また、ステップＳＴ３にて、第１サーミスタ１８ａおよび第２サーミスタ１８ｂが正常であると判定された場合には、予め選択された第１サーミスタ１８ａの検知温度Ｔａを温調用サーミスタの検知温度Ｔ２として設定したが、第２サーミスタ１８ｂの検知温度Ｔｂを温調用のサーミスタの検知温度Ｔ２として設定しても良いし、第１サーミスタ１８ａの検知温度Ｔａと第２サーミスタ１８ｂの検知温度Ｔｂとの平均値Ａを算出し、その平均値Ａを温調用のサーミスタの検知温度Ｔ２として設定しても良い。
【００６３】
また、上記ステップＳＴ３からＳＴ７の動作は、ステップＳＴ９からＳＴ１５の出湯動作を実行する前に行っているが、その出湯動作実行前に加えて、出湯動作実行中に行わせても良い。
【００６４】
さらに、上記実施の形態では、温調用サーミスタの検知温度Ｔ２が実際の水温より低い値を示す出湯温検知異常である場合は、ガス量調整弁１４を強制的に閉じてガスバーナ１１の燃焼動作を禁止し、これにより出湯配管Ｗ２への出湯を禁止しているが、ガス遮断弁１３を強制的に閉じることでガスバーナ１１の燃焼動作を禁止しても良いし、温水管路Ｌ２もしくは混合水管路Ｌ５に温水遮断弁を設け、この温水遮断弁を強制的に閉じることで出湯配管Ｗ２への出湯を禁止しても良い。
【００６５】
また、上記実施の形態では、混合水温センサ１８が異常状態であることをリモコンＲの表示部Ｒ１および音声出力部Ｒ２から報知させたが、給湯器本体１０に表示部および音声出力部を組み込み、これら表示部および音声出力部から報知させても良い。
【００６６】
上記実施の形態における混合水温センサ１８は、第１サーミスタ１８ａおよび第２サーミスタ１８ｂを先端部１８１の中心線ＣＬ上に並設させたものであるが、図４に示す混合水温センサ１８Ｅのように、先端部１８１の中心線ＣＬ上に混合水管路Ｌ５の管体中心が位置するようセンサケース１８０を混合水管路Ｌ５へ挿設するとともに、第１サーミスタ１８ａおよび第２サーミスタ１８ｂをその先端部１８１内で上記中心線ＣＬを挟んで対称位置に並設させたものであっても良い。
【００６７】
このものでは、第１サーミスタ１８ａおよび第２サーミスタ１８ｂと先端部１８１の内周面１８２との間隙が、それら第１サーミスタ１８ａおよび第２サーミスタ１８ｂ相互において略同一の距離で保持されているのに加え、第１サーミスタ１８ａおよび第２サーミスタ１８ｂが、混合水管路Ｌ５の外周面から略等距離位置に並設されているから、設置環境の違いによる検知温度のばらつきが一層抑制される。
【００６８】
さらに、上記実施の形態では、混合水管路Ｌ５に形成した屈曲部Ｌｍによって上記合流部へ供給された冷水と温水を均一に混合させているが、混合水温センサ１８の上流側に乱流や渦流を発生させる攪拌部材を設け、この攪拌部材によって冷水と温水を均一に混合させるようにしても良い。
【図面の簡単な説明】
【００６９】
【図１】本発明の実施の形態に係る給湯装置１の概略構成図
【図２】本発明の実施の形態に係る給湯装置１の混合水温センサ１８の部分断面図
【図３】本発明の実施の形態に係る給湯装置１のセンサ異常判定動作を示す作動フローチャート
【図４】本発明の他の実施形態に係る給湯装置１の混合水温センサ１８Ｅの部分断面図
【図５】従来の給湯装置９の概略構成図
【符号の説明】
【００７０】
１・・・給湯装置
１５・・・温調部
１８ａ，１８ｂ・・・出湯温センサ
Ｌ５・・・出湯管路
Ｐ・・・温水利用先
【図１】
0004426616.tif 000002
【図２】
0004426616.tif 000003
【図３】
0004426616.tif 000004
【図４】
0004426616.tif 000005
【図５】
0004426616.tif 000006